(57)【要約】【課題】低損失かつ幅広いビットレートに対応したマルチバンドイコライザ、それを用いた誤り率測定システム、誤り率測定装置、及び経路選択方法を提供する。【解決手段】入力側伝送回路１０及び出力側伝送回路１１との間に並列に設けられ、通過特性が互いに異なる複数の高周波コンポーネント１２を備え、各高周波コンポーネント１２は、駆動電源信号が選択的に入力される電源端子１７を有しており、入力側伝送回路１０を伝送される信号は、複数の高周波コンポーネント１２のうち、電源端子１７に駆動電源信号が入力されている高周波コンポーネントのみを含む伝送経路を経由して出力側伝送回路１１に伝送され、複数の高周波コンポーネント１２のうちの少なくとも２つは、自身の電源端子１７に駆動電源信号が入力されることにより、入力側伝送回路１０に入力された信号の周波数特性を変更するイコライザとして機能する。【選択図】図１
2017108347.tif 000002
【特許請求の範囲】
【請求項１】
一端に信号が入力される入力端子（１３）が形成され、他端が入力側終端回路（１４）によって終端されている入力側伝送回路（１０）と、
一端が出力側終端回路（１５）によって終端され、他端に信号を出力する出力端子（１６）が形成された出力側伝送回路（１１）と、
前記入力側伝送回路及び前記出力側伝送回路との間に並列に設けられ、通過特性が互いに異なる複数の高周波コンポーネント（１２）と、を備え、
各前記高周波コンポーネントは、外部の電源回路（２４）から駆動電源信号が選択的に入力される電源端子（１７）を有しており、
前記入力側伝送回路を伝送される信号は、前記複数の高周波コンポーネントのうち、前記電源端子に前記駆動電源信号が入力されている高周波コンポーネントのみを含む伝送経路を経由して前記出力側伝送回路に伝送され、
前記複数の高周波コンポーネントのうちの少なくとも２つは、自身の前記電源端子に前記駆動電源信号が入力されることにより、前記入力端子から入力された信号の周波数特性を変更するイコライザとして機能することを特徴とするマルチバンドイコライザ。
【請求項２】
前記複数の高周波コンポーネントのうちの１つは、前記入力端子から入力された信号をフラットな周波数特性で増幅する増幅器として機能することを特徴とする請求項１に記載のマルチバンドイコライザ。
【請求項３】
イコライザとして機能する前記高周波コンポーネントがＣＴＬＥ（Continuous Time Linear Equalizer）を含むことを特徴とする請求項１又は請求項２に記載のマルチバンドイコライザ。
【請求項４】
請求項１から請求項３のいずれか１項に記載のマルチバンドイコライザと、
パルスパターンを発生し、当該パルスパターンを試験信号として被試験対象（１００）に入力するパルスパターン発生装置（２１）と、
前記マルチバンドイコライザの後段に配置され、前記試験信号の入力に伴う前記被試験対象からの被測定信号と前記試験信号とを比較して、前記被測定信号の誤り率を測定する誤り率測定装置（２２）と、を備え、
前記誤り率測定装置は、前記マルチバンドイコライザの複数の前記電源端子に駆動電源信号を選択的に入力する電源回路（２４）を有し、
前記被測定信号が、前記複数の高周波コンポーネントのうち、前記電源端子に前記駆動電源信号が入力された高周波コンポーネントのみを含む伝送経路を経由して、前記誤り率測定装置に入力されることを特徴とする誤り率測定システム。
【請求項５】
請求項１から請求項３のいずれか１項に記載のマルチバンドイコライザと、
前記マルチバンドイコライザの後段に配置され、試験信号としてのパルスパターンの入力に伴う前記被試験対象からの被測定信号と前記試験信号とを比較して、前記被測定信号の誤り率を測定する誤り率測定部（２３）と、
前記マルチバンドイコライザの複数の前記電源端子に駆動電源信号を選択的に入力する電源回路（２４）と、を備え、
前記被測定信号が、前記複数の高周波コンポーネントのうち、前記電源端子に前記駆動電源信号が入力された高周波コンポーネントのみを含む伝送経路を経由して、前記誤り率測定部に入力されることを特徴とする誤り率測定装置。
【請求項６】
請求項１から請求項３のいずれか１項に記載のマルチバンドイコライザを用いる経路選択方法であって、
前記マルチバンドイコライザの前記複数の高周波コンポーネントの中から、少なくとも１つの高周波コンポーネントを選択するステップ（Ｓ１）と、
前記ステップ（Ｓ１）で選択された前記高周波コンポーネントが有する前記電源端子に駆動電源信号を入力するステップ（Ｓ２）と、を含むことを特徴とする経路選択方法。
【発明の詳細な説明】
【技術分野】
【０００１】
本発明は、マルチバンドイコライザ、それを用いた誤り率測定システム、誤り率測定装置、及び経路選択方法に関する。
【背景技術】
【０００２】
近年、電子機器や通信機器の高性能化に伴い、機器間でのシリアル伝送の速度が高速化し続けている。このような高速のシリアル伝送に対応した機器の品質評価に際しては、高ビットレートのデジタル信号を波形の劣化を抑制して測定装置まで伝送させる必要がある。
【０００３】
例えば、デジタル信号の誤り率を測定する装置は、伝送線路を介して擬似ランダムビット系列などの高速なパルスパターン信号を被試験対象（Device Under Test：ＤＵＴ）に対して送受信する。
【０００４】
伝送線路は、高速な信号に対してはローパスフィルタとして機能し、伝送線路を伝搬する信号の高周波成分を大きく減衰させてしまう。このため、伝送線路のローパスフィルタ特性によって失われてしまう高周波成分を補償するために、イコライザを使用して低周波成分に対して高周波成分を相対的に持ち上げる技術が従来より知られている（例えば、特許文献１参照）。
【０００５】
しかしながら、特許文献１に開示されたイコライザは、受動イコライザであるため、幅広いビットレートに対応可能ではない。このため、ＤＵＴから出力される様々なビットレートの信号を測定する際には、それらのビットレートに応じた通過特性のイコライザを複数個用意して、それらを１つずつ測定装置に付け替える必要があった。
【０００６】
これに対して、１つの共通端子に対して複数の個別端子を切り替えて接続する高周波スイッチ（例えば、特許文献２参照）を用いて、通過特性の異なる複数のイコライザを並列に構成し、複数のイコライザを切り替えて用いる方法が考えられる。しかしながら、特許文献２に開示された高周波スイッチには、スイッチ素子が用いられているため、このスイッチ素子により挿入損失が生じることとなる。
【０００７】
一方、スイッチ素子を用いることなく、イコライザ特性のピーク周波数を可変できるイコライザが提案されている（例えば、特許文献３参照）。
【先行技術文献】
【特許文献】
【０００８】
【特許文献１】特開２０１５−１１５７８７号公報
【特許文献２】特許第５５３１６６２号公報
【特許文献３】特許第３５８４８９３号公報
【発明の概要】
【発明が解決しようとする課題】
【０００９】
しかしながら、特許文献３に開示されたような、イコライザ特性のピーク周波数を可変できるイコライザであっても、例えば２ＧＨｚ〜１６ＧＨｚなどの広帯域にわたってピーク周波数を変化させることは技術的に困難であるという問題があった。また、上述したように、特許文献１に開示されたイコライザには、幅広いビットレートに対応することが難しいという問題があった。また、特許文献２に開示された高周波スイッチには、スイッチ素子による挿入損失が避けられないという問題があった。
【００１０】
本発明は、このような従来の課題を解決するためになされたものであって、低損失かつ幅広いビットレートに対応したマルチバンドイコライザ、それを用いた誤り率測定システム、誤り率測定装置、及び経路選択方法を提供することを目的とする。
【課題を解決するための手段】
【００１１】
上記課題を解決するために、本発明の請求項１のマルチバンドイコライザは、一端に信号が入力される入力端子が形成され、他端が入力側終端回路によって終端されている入力側伝送回路と、一端が出力側終端回路によって終端され、他端に信号を出力する出力端子が形成された出力側伝送回路と、前記入力側伝送回路及び前記出力側伝送回路との間に並列に設けられ、通過特性が互いに異なる複数の高周波コンポーネントと、を備え、各前記高周波コンポーネントは、外部の電源回路から駆動電源信号が選択的に入力される電源端子を有しており、前記入力側伝送回路を伝送される信号は、前記複数の高周波コンポーネントのうち、前記電源端子に前記駆動電源信号が入力されている高周波コンポーネントのみを含む伝送経路を経由して前記出力側伝送回路に伝送され、前記複数の高周波コンポーネントのうちの少なくとも２つは、自身の前記電源端子に前記駆動電源信号が入力されることにより、前記入力端子から入力された信号の周波数特性を変更するイコライザとして機能するように構成されている。
【００１２】
この構成により、通過特性が互いに異なる複数の高周波コンポーネントの電源端子に個別に駆動電源信号を入力することにより、損失源となり得るスイッチを用いずに、高周波コンポーネントをそれぞれ含む複数の伝送経路を低損失に切り替えることができる。これにより、低損失かつ幅広いビットレートに対応したマルチバンドイコライザを実現することができる。
【００１３】
また、本発明の請求項２のマルチバンドイコライザにおいては、前記複数の高周波コンポーネントのうちの１つは、前記入力端子から入力された信号をフラットな周波数特性で増幅する増幅器として機能するように構成されている。
【００１４】
この構成により、入力された信号をフラットな周波数特性で増幅する高周波コンポーネントの電源端子に駆動電源信号を入力することにより、伝送損失が少ないスルー特性を実現することができる。
【００１５】
また、本発明の請求項３のマルチバンドイコライザにおいては、イコライザとして機能する前記高周波コンポーネントがＣＴＬＥ（Continuous Time Linear Equalizer）を含む構成であってもよい。
【００１６】
また、本発明の請求項４の誤り率測定システムは、上記のいずれかのマルチバンドイコライザと、パルスパターンを発生し、当該パルスパターンを試験信号として被試験対象に入力するパルスパターン発生装置と、前記マルチバンドイコライザの後段に配置され、前記試験信号の入力に伴う前記被試験対象からの被測定信号と前記試験信号とを比較して、前記被測定信号の誤り率を測定する誤り率測定装置と、を備え、前記誤り率測定装置は、前記マルチバンドイコライザの複数の前記電源端子に駆動電源信号を選択的に入力する電源回路を有し、前記被測定信号が、前記複数の高周波コンポーネントのうち、前記電源端子に前記駆動電源信号が入力された高周波コンポーネントのみを含む伝送経路を経由して、前記誤り率測定装置に入力されるように構成されている。
【００１７】
この構成により、被試験対象から出力される被測定信号に応じて、適切な高周波コンポーネントを含む伝送経路を低損失に選択することができるため、幅広いビットレートの被測定信号に対する誤り率測定を精度良く実行することができる。
【００１８】
また、本発明の請求項５の誤り率測定装置は、上記のいずれかのマルチバンドイコライザと、前記マルチバンドイコライザの後段に配置され、試験信号としてのパルスパターンの入力に伴う前記被試験対象からの被測定信号と前記試験信号とを比較して、前記被測定信号の誤り率を測定する誤り率測定部と、前記マルチバンドイコライザの複数の前記電源端子に駆動電源信号を選択的に入力する電源回路と、を備え、前記被測定信号が、前記複数の高周波コンポーネントのうち、前記電源端子に前記駆動電源信号が入力された高周波コンポーネントのみを含む伝送経路を経由して、前記誤り率測定部に入力されるように構成されている。
【００１９】
この構成により、被試験対象から出力される被測定信号に応じて、適切な高周波コンポーネントを含む伝送経路を低損失に選択することができるため、幅広いビットレートの被測定信号に対する誤り率測定を精度良く実行することができる。
【００２０】
また、本発明の請求項６の経路選択方法は、上記のいずれかのマルチバンドイコライザを用いる経路選択方法であって、前記マルチバンドイコライザの前記複数の高周波コンポーネントの中から、少なくとも１つの高周波コンポーネントを選択するステップと、前記ステップで選択された前記高周波コンポーネントが有する前記電源端子に駆動電源信号を入力するステップと、を含む構成である。
【００２１】
この構成により、損失源となり得るスイッチを用いずに、互いに特性の異なる高周波コンポーネントをそれぞれ含む複数の伝送経路を低損失に切り替えることができる。
【発明の効果】
【００２２】
本発明は、低損失かつ幅広いビットレートに対応したマルチバンドイコライザ、それを用いた誤り率測定システム、誤り率測定装置、及び経路選択方法を提供するものである。
【図面の簡単な説明】
【００２３】
【図１】第１の実施形態に係るマルチバンドイコライザの構成を示すブロック図である。
【図２】第１の実施形態に係るマルチバンドイコライザの等価回路を示す回路図である。
【図３】第１の実施形態に係るマルチバンドイコライザの等価回路における電源オフと電源オンの状態を説明する図である。
【図４】第１の実施形態に係るマルチバンドイコライザの等価回路におけるＳ１１，Ｓ２２のシミュレーション結果を示すグラフである。
【図５】第１の実施形態に係るマルチバンドイコライザの等価回路におけるＳ２１のシミュレーション結果を示すグラフである。
【図６】第１の実施形態に係るマルチバンドイコライザの等価回路における各高周波コンポーネントのＳ２１のシミュレーション結果を示すグラフである。
【図７】第２の実施形態に係る誤り率測定システムの構成を示すブロック図である。
【図８】第２の実施形態に係る誤り率測定システムが備える誤り率測定装置の他の構成を示すブロック図である。
【図９】第２の実施形態に係る誤り率測定システムによる経路選択方法の処理を示すフローチャートである。
【発明を実施するための形態】
【００２４】
以下、本発明に係るマルチバンドイコライザ、それを用いた誤り率測定システム、誤り率測定装置、及び経路選択方法の実施形態について図面を用いて説明する。
【００２５】
（第１の実施形態）
図１に示すように、本実施形態に係るマルチバンドイコライザ１は、入力側伝送回路１０及び出力側伝送回路１１との間に並列に設けられ、通過特性が互いに異なる複数の高周波コンポーネント１２−０〜１２−Ｎを備えている。
【００２６】
入力側伝送回路１０は、複数の伝送線路Ｔｉが直列接続されてなる入力側伝送線路を有しており、伝送線路Ｔｉのインダクタンス成分と各高周波コンポーネント１２の入力容量により形成される。また、入力側伝送線路の一端には信号が入力される入力端子１３が形成されており、他端は入力側終端回路１４によって終端されている。入力側終端回路１４の特性インピーダンスＺｉは、入力側伝送回路１０の特性インピーダンスと整合が取れている。
【００２７】
出力側伝送回路１１は、複数の伝送線路Ｔｏが直列接続されてなる出力側伝送線路を有しており、伝送線路Ｔｏのインダクタンス成分と各高周波コンポーネント１２の出力容量により形成される。また、出力側伝送線路の一端は出力側終端回路１５によって終端され、他端には信号を出力する出力端子１６が形成されている。出力側終端回路１５の特性インピーダンスＺｏは、出力側伝送回路１１の特性インピーダンスと整合が取れている。
【００２８】
入力側伝送回路１０を構成する複数の伝送線路Ｔｉは、線路長と特性インピーダンスが最適に設計されており、入力側のリターンロスが高く設計されている。出力側伝送回路１１の複数の伝送線路Ｔｏについても、同様にリターンロスが高くなるように設計されている。このような設計方法は、進行波増幅器の設計方法として公知である。ただし、各高周波コンポーネント１２の入力容量及び出力容量は、他の高周波コンポーネントの入力容量及び出力容量と等しくなくてもよく、この点で従来の進行波増幅器の構成と異なっている。
【００２９】
入力側伝送回路１０を構成する複数の伝送線路Ｔｉのうち、入力端子１３と入力側終端回路１４のそれぞれに最も近い位置にある２つの伝送線路の線路長は、それら以外の伝送線路Ｔｉの線路長の１／２になっている。また、出力側伝送回路１１を構成する複数の伝送線路Ｔｏのうち、出力端子１６と出力側終端回路１５のそれぞれに最も近い位置にある２つの伝送線路の線路長は、それら以外の伝送線路Ｔｏの線路長の１／２になっている。
【００３０】
なお、入力側伝送回路１０、出力側伝送回路１１、及び複数の高周波コンポーネント１２は、シングルエンド入出力用に構成されたものであっても、差動入出力用に構成されたものであってもよい。伝送線路Ｔｉ，Ｔｏは、例えばグランデッドコプレーナ線路、又はグランデッドコプレーナ差動線路で構成される。
【００３１】
各高周波コンポーネント１２は、自身を構成するトランジスタに駆動電源信号を供給するための電源端子１７を有している。ここで、高周波コンポーネント１２が電圧制御されるものである場合は、駆動電源信号は電圧信号（バイアス電圧）である。また、高周波コンポーネント１２が電流制御されるものである場合は、駆動電源信号は電流信号（バイアス電流）である。
【００３２】
電源端子１７は、外部の電源回路に接続され、当該電源回路から駆動電源信号が選択的に入力されるようになっている。なお以降では、電源端子１７に駆動電源信号が入力されている高周波コンポーネント１２の状態を「電源オン」、電源端子１７に駆動電源信号が入力されていない高周波コンポーネント１２の状態を「電源オフ」ともいう。
【００３３】
つまり、本実施形態のマルチバンドイコライザ１においては、入力側伝送回路１０を伝送される信号は、複数の高周波コンポーネント１２のうち、電源オンの高周波コンポーネントのみを含む伝送経路を経由して出力側伝送回路１１に伝送される。一方、電源オフの高周波コンポーネント１２は、入力側伝送回路１０を伝送される信号を出力側伝送回路１１に伝送しない。
【００３４】
なお、同時に電源オンの状態となる高周波コンポーネント１２の個数は、１つであっても、２つ以上であってもよい。さらに、各高周波コンポーネント１２は、自身の通過特性を変化させるための制御端子１８を有していてもよい。
【００３５】
複数の高周波コンポーネント１２のうちの少なくとも２つは、例えばＣＴＬＥ（Continuous Time Linear Equalizer）を含んでおり、自身の電源端子１７に駆動電源信号が入力されることにより、入力端子１３から入力された信号の周波数特性を変更するイコライザとして機能するようになっている。
【００３６】
また、複数の高周波コンポーネント１２のうちの１つは、入力端子１３から入力された信号をフラットな周波数特性で増幅する増幅器として機能するようになっている。このような高周波コンポーネント１２は、伝送損失が少ないスルー特性を実現可能である。
【００３７】
また、高周波コンポーネント１２は、ＣＴＬＥを含んだものに限定されず、ローパスフィルタ、バンドパスフィルタ、ハイパスフィルタなどを含んだものであってもよい。
【００３８】
以下、図２に示す等価回路を用いて、マルチバンドイコライザ１の通過特性についてシミュレーションを行った結果を説明する。
【００３９】
図２の等価回路においては、高周波コンポーネント１２の個数を４つとし、それぞれをＥＱ０、ＥＱ１、ＥＱ２、ＥＱ３と呼ぶ。ＥＱ０の通過特性はフラットである。ＥＱ１〜ＥＱ３の通過特性は、それぞれ５ＧＨｚ、８ＧＨｚ、１５ＧＨｚにピークを有している。
【００４０】
ここでは、ＥＱ０〜ＥＱ３を互いに異なる通過特性を持った電圧制御電流源とみなしている。ただし、本発明はこれに限定されるものではなく、高周波コンポーネント１２は、電流制御されるものであっても、電圧制御されるものであってもよく、更には電流源であっても電圧源であってもよい。
【００４１】
なお、以下のシミュレーションにおいては、ＥＱ０〜ＥＱ３の電源オフを、それぞれの伝達コンダクタンスＧ０〜Ｇ３を０とすることで表現した。例えば、図３に示すように、ＥＱ０〜ＥＱ３のうちＥＱ２のみを電源オンとして、ＥＱ２を含む伝送経路を選択する場合には、ＥＱ０、ＥＱ１、ＥＱ３の出力側が電流０の電流源として表現される。
【００４２】
また、シミュレーション条件として、ＥＱ０〜ＥＱ３の入力容量及び出力容量を下記のように与えた。
・入力側のＺｉｎ０〜Ｚｉｎ３の容量（入力容量）：１０ｆＦ
・出力側のＺｏｕｔ０の容量（出力容量）：２４ｆＦ
・出力側のＺｏｕｔ１の容量（出力容量）：２８．８ｆＦ
・出力側のＺｏｕｔ２の容量（出力容量）：１３ｆＦ
・出力側のＺｏｕｔ３の容量（出力容量）：１５ｆＦ
【００４３】
図４（ａ），（ｂ）及び図５における点線のデータ（比較例）は、上記のシミュレーション条件に加えて、入力側の伝送線路Ｔｉの特性インピーダンスＺｉｎと、出力側の伝送線路Ｔｏの特性インピーダンスＺｏｕｔとをいずれも５０Ωとした場合のシミュレーション結果の一例を示している。図４（ａ），（ｂ）は、ＳパラメータＳ１１，Ｓ２２の周波数特性を示している。また、図５は、ＳパラメータＳ２１（挿入損失）の周波数特性を示している。
【００４４】
一方、図４（ａ），（ｂ）及び図５における実線のデータは、特性インピーダンスＺｉｎ，Ｚｏｕｔと、入力側の伝送線路Ｔｉの遅延量（遅延時間）ＴＤｉｎと、出力側の伝送線路Ｔｏの遅延量（遅延時間）ＴＤｏｕｔとを、リターンロス（Ｓ１１，Ｓ２２）が最適になるように設計した場合のシミュレーション結果を示している。このときのＺｉｎ、Ｚｏｕｔ、ＴＤｉｎ、ＴＤｏｕｔの値は下記のとおりである。
【００４５】
・入力側の伝送線路Ｔｉの特性インピーダンスＺｉｎ：６７．１Ω
・入力側の伝送線路Ｔｉの遅延量ＴＤｉｎ：０．８５ｐｓ
・出力側の伝送線路Ｔｏの特性インピーダンスＺｏｕｔ：８７．４Ω
・出力側の伝送線路Ｔｏの遅延量ＴＤｏｕｔ：０．８５ｐｓ
【００４６】
なお、入力端子１３と入力側終端回路１４のそれぞれに最も近い位置にある２つの伝送線路Ｔｉの遅延量はＴＤｉｎ／２となる。同様に、出力端子１６と出力側終端回路１５のそれぞれに最も近い位置にある２つの伝送線路Ｔｏの遅延量はＴＤｏｕｔ／２となる。
【００４７】
図４，５のシミュレーション結果から、ＥＱ０〜ＥＱ３の入力容量及び出力容量に応じて、Ｚｉｎ、Ｚｏｕｔ、ＴＤｉｎ、ＴＤｏｕｔとして、適切な値を用いて回路を設計することにより、本実施形態のマルチバンドイコライザ１において、リターンロスと挿入損失を改善できることが分かる。
【００４８】
図６は、上記のようにして最適化された図２の等価回路について、ＥＱ０〜ＥＱ３のそれぞれを１つずつ電源オンにした場合の各高周波コンポーネントのＳ２１の周波数特性を示すグラフである。
【００４９】
実線は、ＥＱ０のみを電源オンにした場合のＳ２１を示しており、ＥＱ０のフラットな通過特性を確認できる。点線は、ＥＱ１のみを電源オンにした場合のＳ２１を示しており、５ＧＨｚにピークを持つ通過特性を確認できる。一点鎖線は、ＥＱ２のみを電源オンにした場合のＳ２１を示しており、８ＧＨｚにピークを持つ通過特性を確認できる。二点鎖線は、ＥＱ３のみを電源オンにした場合のＳ２１を示しており、１５ＧＨｚにピークを持つ通過特性を確認できる。
【００５０】
このように、各高周波コンポーネントを含む伝送経路を切り替えることにより、それぞれの高周波コンポーネントの通過特性を個別に利用することができる。なお、ＥＱ０〜ＥＱ３のうち、複数の高周波コンポーネントを同時に電源オンにして、複数の高周波コンポーネントの通過特性を足し合わせることも可能である。
【００５１】
以上説明したように、本実施形態に係るマルチバンドイコライザ１は、高周波コンポーネント１２として、複数のＣＴＬＥをビットレート別に備えており、それらの電源端子１７に個別に駆動電源信号を入力できる構成になっている。これにより、損失源となり得るスイッチを用いずに、高周波コンポーネント１２をそれぞれ含む複数の伝送経路を低損失に切り替えることができるため、低損失かつ幅広いビットレートに対応したマルチバンドイコライザを実現することができる。
【００５２】
また、本実施形態に係るマルチバンドイコライザ１は、高周波コンポーネント１２として、入力された信号をフラットな周波数特性で増幅する広帯域増幅器を備えている。これにより、ＣＴＬＥを通さないスルー特性も選択可能であるとともに、低損失かつ幅広いビットレートに対応したマルチバンドイコライザを実現することができる。
【００５３】
（第２の実施形態）
図７は、第１の実施形態に係るマルチバンドイコライザを備えた第２の実施形態に係る誤り率測定システムを示している。図７に示すように、本実施形態に係る誤り率測定システム２は、マルチバンドイコライザ１と、パルスパターン発生装置２１と、誤り率測定装置２２と、を備える。
【００５４】
パルスパターン発生装置２１は、２Ｎ−１のビット周期を有する擬似ランダムビット系列などのパルスパターンを発生し、当該パルスパターンを試験信号として被試験対象（ＤＵＴ）１００に入力するようになっている。
【００５５】
ＤＵＴ１００は、試験信号の入力に伴う被測定信号を、マルチバンドイコライザ１を介して誤り率測定装置２２に出力するように配置される。ＤＵＴ１００が対応する規格の例としては、PCI Express（登録商標）、ＵＳＢ（登録商標）、ＣＥＩ（Common Electrical Interface）、Ethernet（登録商標）、InfiniBandなどが挙げられる。
【００５６】
誤り率測定装置２２は、マルチバンドイコライザ１の後段に配置され、誤り率測定部２３と、電源回路２４と、表示部２５と、操作部２６と、制御部２７と、を備える。
【００５７】
誤り率測定部２３は、マルチバンドイコライザ１を通過した被測定信号と試験信号とを比較して、被測定信号のビット誤り率を測定するようになっている。
【００５８】
電源回路２４は、マルチバンドイコライザ１の複数の電源端子１７−０〜１７−Ｎに駆動電源信号を選択的に入力できるようになっている。これにより、被測定信号は、複数の高周波コンポーネント１２のうち、電源端子１７に駆動電源信号が入力された高周波コンポーネントのみを含む伝送経路を経由して、誤り率測定装置２２の誤り率測定部２３に入力される。
【００５９】
例えば、イコライザとして機能する高周波コンポーネント１２の電源端子１７に駆動電源信号が入力された場合には、伝送損失により劣化したアイパターンを開くことが可能となる。また、低損失なスルー特性を実現する高周波コンポーネント１２の電源端子１７に駆動電源信号が入力された場合には、ＤＵＴ１００からの被測定信号を高感度に測定することが可能となる。
【００６０】
表示部２５は、例えばＬＣＤやＣＲＴなどの表示機器で構成され、制御部２７からの制御信号に応じて各種表示内容を表示するようになっている。この表示内容には、被測定信号のビット誤り率の測定結果などが含まれる。さらに、表示部２５は、測定条件などを設定するためのソフトキー、プルダウンメニュー、テキストボックスなどの操作対象を表示するものであってもよい。
【００６１】
操作部２６は、キーボード、タッチパネル、又はマウスのような入力デバイスを含んで構成される。あるいは前述のように、操作部２６は、ソフトキー、プルダウンメニュー、テキストボックスなどの操作対象が表示部２５に表示される構成であってもよい。
【００６２】
制御部２７は、例えばＣＰＵ、ＲＯＭ、ＲＡＭ、ＨＤＤなどを含むマイクロコンピュータで構成され、パルスパターン発生装置２１と、誤り率測定装置２２を構成する上記各部の動作を制御するようになっている。
【００６３】
なお、図７の例では、パルスパターン発生装置２１が誤り率測定装置２２と別体の構成であるとしたが、パルスパターン発生装置２１は誤り率測定装置２２と一体に構成されたものであってもよい。
【００６４】
また、図８に示すように、誤り率測定装置２２は、誤り率測定部２３、電源回路２４、表示部２５、操作部２６、及び制御部２７に加えて、マルチバンドイコライザ１を内蔵するものであってもよい。この場合、誤り率測定部２３は、マルチバンドイコライザ１の後段に配置される。
【００６５】
以下、誤り率測定システム２におけるマルチバンドイコライザ１を用いる経路選択方法について、図９のフローチャートを参照しながら説明する。
【００６６】
まず、ユーザによる操作部２６の操作により、マルチバンドイコライザ１の複数の高周波コンポーネント１２の中から、ＤＵＴ１００が対応する規格の伝送速度に応じた高周波コンポーネントが少なくとも１つ選択される（ステップＳ１）。
【００６７】
次に、電源回路２４は、ステップＳ１で選択された高周波コンポーネント１２が有する電源端子１７に駆動電源信号を入力する（ステップＳ２）。
【００６８】
次に、パルスパターン発生装置２１は、試験信号としてのパルスパターンを発生し、当該試験信号をＤＵＴ１００に送信する（ステップＳ３）。
【００６９】
次に、誤り率測定部２３は、ステップＳ１で選択された高周波コンポーネント１２を含む伝送経路を経由したＤＵＴ１００からの被測定信号を受信する（ステップＳ４）。
【００７０】
次に、誤り率測定部２３は、ステップＳ４で受信した被測定信号と試験信号とを比較して、被測定信号のビット誤り率を測定する（ステップＳ５）。
【００７１】
次に、表示部２５は、被測定信号のビット誤り率の測定結果を表示する（ステップＳ５）。
【００７２】
以上、説明したように、本実施形態に係る誤り率測定システム２は、ＤＵＴ１００から出力される被測定信号に応じて、適切な高周波コンポーネント１２を含む伝送経路をソフトウェア的に低損失に選択することができるため、幅広いビットレートの被測定信号に対する誤り率測定を精度良く実行することができる。
【符号の説明】
【００７３】
１  マルチバンドイコライザ
２  誤り率測定システム
１０  入力側伝送回路
１１  出力側伝送回路
１２，１２−０〜１２−Ｎ  高周波コンポーネント
１３  入力端子
１４  入力側終端回路
１５  出力側終端回路
１６  出力端子
１７，１７−０〜１７−Ｎ  電源端子
１８，１８−０〜１８−Ｎ  制御端子
２１  パルスパターン発生装置
２２  誤り率測定装置
２３  誤り率測定部
２４  電源回路
２５  表示部
２６  操作部
２７  制御部
１００  ＤＵＴ（被試験対象）
【図１】
2017108347.tif 000003
【図２】
2017108347.tif 000004
【図３】
2017108347.tif 000005
【図４】
2017108347.tif 000006
【図５】
2017108347.tif 000007
【図６】
2017108347.tif 000008
【図７】
2017108347.tif 000009
【図８】
2017108347.tif 000010
【図９】
2017108347.tif 000011